(57)【要約】【課題】  利用においてよりユーザが省エネまたは節電への貢献を実感することができる再生装置及び再生方法を提供する。【解決手段】  音声や映像などの再生装置であって、コンテンツの再生省略時間を算出する時間算出手段と、前記コンテンツの再生手段と、前記再生省略時間をから節約電力量を算出する電力量算出手段と、前記節約電力量を表示部へ向け視覚化する信号を発生する表示手段、とを備える再生装置。また、音声や映像などの再生装置における再生方法であって、コンテンツの再生省略時間を算出する時間算出工程と、前記コンテンツの再生工程と、前記再生省略時間をから節約電力量を算出する電力量算出工程と、前記節約電力量を表示部へ向け視覚化する信号を発生する表示工程、とを含む再生方法。【選択図】  図４
2015180012.tif 000002
【特許請求の範囲】
【請求項１】
音声や映像などの再生装置であって、
コンテンツの再生省略時間を算出する時間算出手段と、
前記コンテンツの再生手段と、
前記再生省略時間をから節約電力量を算出する電力量算出手段と、
前記節約電力量を表示部へ向け視覚化する信号を発生する表示手段、
とを備える再生装置。
【請求項２】
前記再生省略時間は、トリックプレイにより発生する請求項１または２に記載の再生装
置。
【請求項３】
前記再生省略時間は、未視聴コンテンツの削除により発生する請求項１または２に記載
の再生装置。
【請求項４】
更に前記節約電力量からを相当電力料金を算出する相当電力料金算出手段を備え、
前記表示手段は、この相当電力料金を視覚化する信号を発生する請求項１または２に記
載の再生装置。
【請求項５】
前記表示手段は、前記信号を表示する前記表示部を更に備える請求項１または２に記載
の再生装置。
【請求項６】
前記節約電力量または前記相当電力料金は、前記表示部による発生分を含む請求項１ま
たは２に記載の再生装置。
【請求項７】
音声や映像などの再生装置における再生方法であって、
コンテンツの再生省略時間を算出する時間算出工程と、
前記コンテンツの再生工程と、
前記再生省略時間をから節約電力量を算出する電力量算出工程と、
前記節約電力量を表示部へ向け視覚化する信号を発生する表示工程、
とを含む再生方法。
【発明の詳細な説明】
【技術分野】
【０００１】
本発明の実施形態は、テレビジョン（ＴＶ）などの再生装置及び再生方法に関する。
【背景技術】
【０００２】
ＴＶを代表とする再生装置の省エネルギー対策は、動作時や待機時の電力消費をいかに
抑えるかについて注力されてきた。例えば、ＴＶそれ自体を利用する場面での節電につい
て「節約して使いましょう」等のスローガンに基づいて、TVを利用しない選択肢がもっぱ
ら示されてきた。ＴＶ上でコンテンツを楽しみながら、利用者に節電を実感させる工夫は
なされていなかった。
また録画機能を搭載したテレビが普及してきており、録画のためのハードディスクも安
価かつ大容量になってきている。そして、テレビに接続されたハードディスクに録画済み
コンテンツが大量に保管されている状態が多くなってきている。ユーザは視聴しようとい
う意思があって録画を行っているのだが、実際にそのコンテンツを視聴する時間が取れず
、どんどん蓄積されていくという状態がある。
そこでＴＶの利用を阻害せず、ＴＶを利用し楽しみながら、それが省エネおよび節電に
も貢献していることが利用者に実感できるようにするといったことへの要望があるが、か
かる要望を実現するための手段は知られていない。
【先行技術文献】
【特許文献】
【０００３】
【特許文献１】特開２０１０−２１２８７５号公報
【発明の概要】
【発明が解決しようとする課題】
【０００４】
本発明の実施の形態は、利用においてよりユーザが省エネまたは節電への貢献を実感す
ることができる再生装置及び再生方法を提供することを目的とする。
【課題を解決するための手段】
【０００５】
上記課題を解決するために、実施形態によれば再生装置は、音声や映像などの再生装置
であって、コンテンツの再生省略時間を算出する時間算出手段と、前記コンテンツの再生
手段と、前記再生省略時間をから節約電力量を算出する電力量算出手段と、前記節約電力
量を表示部へ向け視覚化する信号を発生する表示手段とを備える。
【図面の簡単な説明】
【０００６】
【図１】この発明の一実施形態を示すブロック構成図。
【図２】同実施形態の再生装置１０１の機能構成図。
【図３】同実施形態の典型的な表示画面例を説明するために示す図。
【図４】同実施形態の再生装置１０１の動作ステップの例を示すフローチャート。
【図５】実施形態に用いられるコンテンツリストを表示する際に節約量を表示する手順を示すフローチャート。
【図６】同実施形態のコンテンツリストを表示する際に節約量を表示する例を示す図。
【図７】同実施形態に用いられるコンテンツを削除する際に節約量を表示する手順を示すフローチャート。
【図８】同実施形態のコンテンツを削除した際に節約量を表示した例を示す図。
【発明を実施するための形態】
【０００７】
以下、本発明の一実施形態を説明する。
（第１の実施形態）
第１の実施形態を図１乃至図４を参照して説明する。まず、テレビジョン放送受信装置
１００のハードウェア構成について説明する。図１は、テレビジョン放送受信装置１００
の主要な信号処理系を示すブロック図である。
ＢＳ／ＣＳデジタル放送受信用のアンテナ１２１で受信した衛星デジタルテレビジョン
放送信号は、入力端子２０１を介して衛星デジタル放送用のチューナ２０２ａに供給され
る。
チューナ２０２ａは、制御部２０５からの制御信号により所望のチャネルの放送信号を
選局し、この選局された放送信号をＰＳＫ（Ｐｈａｓｅ  Ｓｈｉｆｔ  Ｋｅｙｉｎｇ）復
調器２０２ｂに出力する。
ＰＳＫ復調器２０２ｂは、制御部２０５からの制御信号により、チューナ２０２ａで選
局された放送信号を復調し、所望の番組を含んだトランスポートストリーム（ＴＳ）を得
て、ＴＳ復号器２０２ｃに出力する。
【０００８】
ＴＳ復号器２０２ｃは、制御部２０５からの制御信号によりトランスポートストリーム
（ＴＳ）多重化された信号のＴＳ復号処理を行い、所望の番組のデジタルの映像信号及び
音声信号をデパケットすることにより得たＰＥＳ（Ｐａｃｋｅｔｉｚｅｄ  Ｅｌｅｍｅｎ
ｔａｒｙ  Ｓｔｒｅａｍ）を信号処理部２０６内のＳＴＤバッファ（図示せず）へ出力す
る。また、ＴＳ復号器２０２ｃは、デジタル放送により送られているセクション情報を信
号処理部２０６内のセクション処理部（図示せず）へ出力する。
地上波放送受信用のアンテナ１２２で受信した地上デジタルテレビジョン放送信号は、
入力端子２０３を介して地上デジタル放送用のチューナ２０４ａに供給される。
チューナ２０４ａは、制御部２０５からの制御信号により所望のチャネルの放送信号を
選局可能とする。チューナ２０４ａは、放送信号をＯＦＤＭ（Ｏｒｔｈｏｇｏｎａｌ  Ｆ
ｒｅｑｕｅｎｃｙ  Ｄｉｖｉｓｉｏｎ  Ｍｕｌｔｉｐｌｅｘｉｎｇ）復調器２０４ｂに出
力する。
【０００９】
本実施形態にかかるチューナ２０２ａ及びチューナ２０４ａは、アンテナ１２１又はア
ンテナ１２２を介して、チャネルの放送信号として、複数の映像情報を提供するマルチビ
ュー配信の放送信号を受信する。なお、マルチビュー配信の放送信号には、複数の映像情
報が全て含まれている必要はなく、例えば映像情報としては主映像情報のみ含まれ、副映
像情報については取得先のアドレス情報のみ埋め込まれていても良い。
ＯＦＤＭ復調器２０４ｂは、制御部２０５からの制御信号により、チューナ２０４ａで
選局された放送信号を復調し、所望の番組を含んだトランスポートストリームを得て、Ｔ
Ｓ復号器２０４ｃに出力する。
【００１０】
ＴＳ復号器２０４ｃは、制御部２０５からの制御信号によりトランスポートストリーム
（ＴＳ）多重化された信号のＴＳ復号処理を行い、所望の番組のデジタルの映像信号及び
音声信号をデパケットすることにより得たＰＥＳ（Ｐａｃｋｅｔｉｚｅｄ  Ｅｌｅｍｅｎ
ｔａｒｙ  Ｓｔｒｅａｍ）を信号処理部２０６内のＳＴＤバッファへ出力する。また、Ｔ
Ｓ復号器２０４ｃは、デジタル放送により送られているセクション情報を信号処理部２０
６内のセクション処理部へ出力する。
信号処理部２０６は、テレビ視聴時には、ＴＳ復号器２０２ｃおよびＴＳ復号器２０４
ｃからそれぞれ供給されたデジタルの映像信号及び音声信号に対して、選択的に所定のデ
ジタル信号処理を施し、グラフィック処理部２０７及び音声処理部２０８に出力している
。一方、番組録画時には、ＴＳ復号器２０２ｃおよびＴＳ復号器２０４ｃからそれぞれ供
給されたデジタルの映像信号及び音声信号に対して、選択的に所定のデジタル信号処理を
施した信号を、制御部２０５を介して記憶装置（例えば、ＨＤＤ）２７０に記録している
。また、信号処理部２０６は、録画番組再生時には、制御部２０５を介して記憶装置（例
えば、ＨＤＤ）２７０から読み出された録画番組のデータに、所定のデジタル信号処理を
施し、グラフィック処理部２０７及び音声処理部２０８に出力している。
制御部２０５には、信号処理部２０６から、番組を取得するための各種データ（Ｂ−Ｃ
ＡＳデスクランブル用の鍵情報等）や電子番組ガイド（ＥＰＧ）情報，番組属性情報（番
組ジャンル等），字幕情報等（サービス情報、ＳＩやＰＳＩ）が入力されている。制御部
２０５は、これら入力された情報からＥＰＧ，字幕を表示するため画像生成処理を行い、
この生成した画像情報をグラフィック処理部２０７へ出力する。
【００１１】
また、この制御部２０５は、番組録画および番組予約録画を制御する機能を有し、番組
予約受付時には、外部の表示装置（例えば、デジタルテレビジョン放送受像器）に電子番
組ガイド（ＥＰＧ）情報を表示し、操作部２２０またはリモートコントローラ２２１を介
した視聴者の入力により予約内容を所定の記憶手段に設定する。そして、設定された時刻
に予約番組を録画するようチューナ２０２ａ，２０４ａ、ＰＳＫ復調器２０２ｂ、ＯＦＤ
Ｍ復調器２０４ｂ、ＴＳ復号器２０２ｃ，２０４ｃおよび信号処理部２０６を制御する。
セクション処理部は、ＴＳ復号器２０２ｃ（２０４ｃ）から入力されたセクション情報
の中から、番組を取得するための各種データや電子番組ガイド（ＥＰＧ）情報，番組属性
情報（番組ジャンル等），字幕情報等（サービス情報、ＳＩやＰＳＩ）を制御部２０５へ
出力する。
グラフィック処理部２０７は、（１）信号処理部２０６内のＡＶデコーダ（図示せず）
から供給されるデジタルの映像信号と、（２）ＯＳＤ（Ｏｎ  Ｓｃｒｅｅｎ  Ｄｉｓｐｌ
ａｙ）信号生成部２０９で生成されるＯＳＤ信号と、（３）データ放送による画像データ
と、（４）制御部２０５により生成されたＥＰＧ，字幕信号とを合成して映像処理部２１
０へ出力する機能を有する。
【００１２】
また、字幕放送による字幕を表示するとき、グラフィック処理部２０７は、制御部２０
５からの制御による字幕情報に基づき、映像信号上に字幕情報を重畳する処理を行う。
グラフィック処理部２０７から出力されたデジタルの映像信号は、映像処理部２１０に
供給される。この映像処理部２１０は、入力されたデジタルの映像信号を、表示部２１４
又は出力端子２１１を介して接続された外部機器で表示可能なフォーマットのアナログ映
像信号に変換した後、出力端子２１１又は表示部２１４に出力して映像表示させる。
また、上記音声処理部２０８は、入力されたデジタルの音声信号を、スピーカ２１３で
再生可能なフォーマットのアナログ音声信号に変換した後、出力端子２１２を介して接続
された外部機器又はスピーカ２１３に出力して音声再生させる。
【００１３】
ここで、このテレビジョン放送受信装置１００は、上記した各種の受信動作を含むその
全ての動作を制御部２０５によって統括的に制御されている。この制御部２０５は、ＣＰ
Ｕ（Ｃｅｎｔｒａｌ  Ｐｒｏｃｅｓｓｉｎｇ  Ｕｎｉｔ）等を内蔵しており、操作部２２
０からの操作情報を受け、または、リモートコントローラ２２１から送出された操作情報
を、受光部２２２を介して受信し、その操作内容が反映されるように各部をそれぞれ制御
している。
この場合、制御部２０５は、主として、そのＣＰＵが実行する制御プログラムを格納し
たＲＯＭ（Ｒｅａｄ  Ｏｎｌｙ  Ｍｅｍｏｒｙ）２０５ａと、当該ＣＰＵに作業エリアを
提供するＲＡＭ（Ｒａｎｄｏｍ  Ａｃｃｅｓｓ  Ｍｅｍｏｒｙ）２０５ｂと、各種の設定
情報及び制御情報等が格納される不揮発性メモリ２０５ｃとを利用している。
【００１４】
また、この制御部２０５は、カードＩ／Ｆ（Ｉｎｔｅｒｆａｃｅ）２２３を介して、メ
モリカード２２４が装着可能なカードホルダ２２５に接続されている。これによって、制
御部２０５は、カードホルダ２２５に装着されたメモリカード２２４と、カードＩ／Ｆ２
２３を介して情報伝送することができる。
さらに、上記制御部２０５は、通信Ｉ／Ｆ２３１を介して第１のＬＡＮ端子２３２に接
続されている。これにより、制御部２０５は、第１のＬＡＮ端子２３２に接続されたＬＡ
Ｎ対応の機器と、通信Ｉ／Ｆ２３１を介して情報伝送することができる。
また、上記制御部２０５は、ＵＳＢ  Ｉ／Ｆ２３３を介してＵＳＢ端子２３４に接続さ
れている。これにより、制御部２０５は、ＵＳＢ端子２３４に接続された各種機器（例え
ば、外付けハードディスク装置）と、ＵＳＢ  Ｉ／Ｆ２３３を介して情報伝送することが
できる。
テレビジョン放送受信装置１００の制御部２０５は、コンテンツ処理アプリケーション
２５０を備えている。そして、制御部２０５のＣＰＵが、コンテンツ処理アプリケーショ
ン２５０を読み込むことで、ＲＡＭ２０５ｂ上に、コンテンツ処理アプリケーション２５
０の各構成が実現される。
【００１５】
次に第一の実施例の再生装置１０１の機能構成図を図２に示す。再生装置１０１は、記
憶部１１１、選択部１１２、再生部１１３、時間計算部１１４、時計部１１５、電力量計
算部１１６、電力計算用データ記憶部１１７、電気料金計算部１１８、電気料金計算用デ
ータ記憶部１２２、 節電量表示生成部１１９、表示部１２０、操作部１２１とからなる
。
選択部１１２、時間計算部１１４、電力量計算部１１６、電気料金計算部１１８は、制
御部２０５に拠る。再生部１１３、 節電量表示生成部１１９は、信号処理部２０６等に
拠る。時計部１１５は、図示せぬリアルタイムクロック（real-time clock、RTC）に拠る
。表示部１２０は、各種算出結果等を表示部へ向け視覚化する信号を発生する映像処理部
２１０等に拠る。操作部１２１は、操作部２２０やリモートコントローラ２２１に拠る。
また電力計算用データ記憶部１１７、電気料金計算用データ記憶部１２２は、記憶装置２
７０に拠る。
記憶部１１１は、再生されるコンテンツを記憶し保持する。ハードディスクやＳＳＤな
ど再生装置１０１それ自体が持つ二次記憶装置（例えば、記憶装置２７０）のほか、ＬＡ
Ｎまたはインターネットを介してアクセスされる構成としてよい。
【００１６】
選択部１１２は、操作部１２１の操作を受けて、記憶部１１１に記憶されているコンテ
ンツを選択する。
再生部１１１は、選択部１１２によって選択されたコンテンツを再生する。コンテンツ
の時間的な長さ(以降、「コンテンツ長」と呼ぶ)を抽出し、再生の進行に合わせてその時
点でのコンテンツの先頭からの通常再生速度での再生時間情報(以降、「再生位置」と呼
ぶ)を生成する。またコンテンツ再生開始からの経過時間を抽出する。
時間計算部１１４は、再生部１１３が抽出または生成した、コンテンツの総時間長(単
位は秒)と再生位置(単位は秒)およびコンテンツ再生開始からの経過時間から、節約時間(
単位は秒)を以下の式に基づいて計算する。
(節約時間)途中 = (再生位置) - (コンテンツ再生開始からの経過時間)
これはコンテンツの最後まで再生を進めて終了した場合には、「コンテンツ再生開始か
らの経過時間」は「コンテンツ再生に要した実時間」となり、以下のように表現される。
(節約時間)完全 = (コンテンツ長) - (コンテンツ再生に要した実時間)
時計部１１５は、時計として他の機能部分に対して時刻を提供し、また他の機能部分に
対して特定の処理を起動するトリガを与える。
【００１７】
電力量計算部１１６は、時間計算部が与えた節約時間(節約時間完全または節約時間途
中)と、電力計算用データ記憶部１１７からの電力計算用データに基づいて、節約電力量(
節約電力量完全または節約電力量途中)を計算する(単位はWh)。典型的には電力計算用デ
ータは、再生装置の再生時の消費電力(単位はW)であるとして、以下のように表現される
。再生時の動作モードなどに基づいて消費電力値が異なる場合は、それに応じて計算する
。
(節約電力量)完全または途中 = (節約時間)完全または途中 × (再生装置の再生時の消
費電力)
電力計算用データ記憶部１１７は、電力計算用データを保持する。電力計算用データは
、前記のように典型的には、再生装置の再生時の消費電力である。再生装置自身が表示手
段を持たず、他の表示装置と結合して動作する場合、該表示装置と結合した状態の再生時
の消費電力を電力計算用データとしてもよい。
【００１８】
電気料金計算部１１８は、電力量計算部１１６が与えた節約電力量(節約電力量完全ま
たは節約電力量途中)と、電気料金計算用データ記憶部１２２からの電気料金計算用デー
タに基づいて、節約電気料金(節約電気料金完全または節約電気料金途中)を計算する(単
位は通貨単位)。典型的には電気料金計算用データは、単位電力量当たりの価格であるが(
電力単価)、時刻等によって異なる単価が適用されることがある場合には、それを反映す
る。
(節約電気料金)完全または途中 = (節約電力量)完全または途中 × (電力単価)
電気料金計算用データ記憶部１２２は、電気料金計算用データを保持する。電気料金計
算用データは、前記のように典型的には、電力単価である。時刻や契約電力などによって
異なる単価が適用される場合には、それらをあわせて他の機能部に提供する。
節電量表示生成部１１９は、節約時間と節約電力量及び節約電気料金についての表示情
報を生成する。時間計算部１１４によって計算した節約時間、電力量計算部１１６によっ
て計算した節約電力量、電力料金計算部１１８によって計算した節約電気料金、以上のう
ち1つ以上を表示するよう内容を決定し配置する。このとき、再生部１１３によって計算
したコンテンツ長と再生位置および再生開始からの経過時間(再生終了時には再生に要し
た実時間)を含めてもよい。また、再生中の場合、すなわち再生が終了していない時は表
示しない配置としてもよい。以上の配置結果は、最終的に表示部１２０によって、装置の
画面出力に表示する。
【００１９】
表示部１２０は、再生部１１３によるコンテンツそのものの再生出力と、節電量表示生
成部１１９による節電表示情報の出力と、および操作部１２１に関連する操作入力ユーザ
インタフェースとを画面等に表示する。典型的な表示画面例は図３を参照のこと。
図３は、シークバーと呼ばれるプログレスバー（時間的な長さを持ったコンテンツに対
応し、再生進捗状況等（再生案内）を示す例えば棒状の表現）の一例を示す部分を含んで
いる。横長の一定の長さを持ったシークバーは、小さな縦長の長方形であるスライダＳＬ
を含む。シークバーにおけるスライダＳＬの位置が、コンテンツの再生の進捗率を示す。
スライダＳＬは、マウス操作やタッチ操作に対応し、シークバーに沿って左右に移動し、
スライダＳＬの移動に対応して再生位置がシークする。図３（ａ）では２０分のコンテン
ツのうち５分再生の、図３（ｂ）ではこのコンテンツの再生終了の位置にスライダＳＬが
在る。図３（ｂ）に現れた説明表示のウィンドウについては後述する。
操作部１２１は、選択部１１２へのコンテンツ選択、再生部１１３へのコンテンツ再生
操作(再生、停止、早送り、逆送り、シーク、再生速度の変更など)を利用者から受け付け
、動作指示としてそれぞれ操作部１２１、再生部１１３へ受け渡す。操作の一部は、利用
者からの指示を受け付ける以外に、予め定めたルールによって設定されることを含む。
【００２０】
以上の各部分が各個に動作することによって、利用者の操作指示に基づいてのコンテン
ツの選択と再生を行い、再生完了後または再生中に節電情報の表示を行うことができる。
この再生装置１０１の動作ステップは、次のようになる。図４を併用して説明する。
ステップＳ１:  利用者は操作部１２１に対して、再生コンテンツと予定情報を選択し、
再生を指示する。
ステップＳ２:  この指示された再生に基づき選択部１１２は、記憶部１１１上のコンテ
ンツを選択する。
ステップＳ３:  再生部１１３は、選択されたコンテンツを読み出しつつ再生する。この
とき、コンテンツの総時間長と、その時点での再生位置を抽出する。
ステップＳ４:   節電量表示生成部１１９は、コンテンツ長、再生位置、および再生開始
からの経過時間から節約時間を計算し、この節約時間に基づいて節約電気量と電気料金を
計算し、節電表示情報を構成する。
ステップＳ５:  再生部１１３は、選択されたコンテンツの再生を終了したか否かを判定
する。再生が終了していればステップＳ６へ移る。さもなくばステップＳ３へ移る。
ステップＳ６:  表示部１２０は、再生部１１３の再生出力と、節電量表示生成部１１９
の節電量表示情報の出力と、操作部１２１の操作画面情報とを、画面または音声またはそ
の両方に対して出力する。 
【００２１】
例として、以下の状況を想定する；
（１）長さ20分のコンテンツを選択する。
（２）利用者は、再生速度の変更やシーク操作によって、17分40秒でコンテンツ再生を終
了した。
（３）電力量計算用データ、すなわち再生時の消費電力は、140Wである。
（４）電気料金計算用データ、すなわち電力単価は、0.022円/Whである。
このとき、節約時間、節約電力量、節約電気料金は以下のように算出される。
節約時間 = 20分 - 17分40秒 = 2分20秒 = 140秒
節約電力量 = 140W × (140 / 3600)時間 ≒ 5.4Wh
節約電気料金 = 5.4Wh× 0.022円/Wh ≒ 0.12円
上記を節電量表示情報として、再生終了時の再生画面上に表示した例が図３（ｂ）であ
る。利用者はコンテンツ再生をコンテンツ長よりも短く終えた場合にその節約量を電力量
と電気料金の形で把握することができる。
【００２２】
他の実施例及び／又は変形例としては以下のようなものがある。
(Ａ) 再生中に、その再生位置において節約した時間と電力量及び電気料金を表示して
もよい。これは節約時間途中、節約電力量途中、節約電気料金途中の各々を再生中に計算
し、逐次表示することに該当する。
(Ｂ) 節約された再生時間と電力量および電気料金を表示する際に、元々のコンテンツ
をそのまま再生したときに要する時間(すなわちコンテンツ長)とその完全な等速再生に要
する電力量および電力料金をあわせて表示してもよい。
(Ｃ) 短縮再生の再生モードを持つ場合、節約が期待される再生時間と対応する電力量
および電気料金を、選択部１１２でのコンテンツ選択場面または再生部１１３での再生モ
ード選択の場面で表示してもよい。短縮再生の再生モードとは、例えば以下の再生モード
を含む。
(ア) 固定速での高速再生モード
(イ) ユーザ操作または機械的に分割した複数のチャプターのうち、複数のチャプターを
連結して再生するモード
(ウ) 同、チャプターごとに再生速度を変化させるモード
(Ｄ) 再生装置それ自体は表示装置や出力装置を持たないプレーヤー装置であって、該
再生装置とHDMI(登録商標)インタフェース等を介して連結して動作する表示装置の消費電
力仕様を知ることができる場合に、該表示装置を含めての節電電力量を算出し、表示して
もよい。
(Ｅ) 節電電力量の表示を、コンテンツ再生時間がコンテンツ時間長よりも短い場合に
のみ表示してもよい。
【００２３】
以上のように、コンテンツの再生後または再生中に、コンテンツの時間長とコンテンツ
再生に要した実際の時間との差を消費電力量および電力料金に換算して表示することによ
り、コンテンツを再生しながらもトリックプレイ等のユーザ操作によって短縮された時間
に相当する節電量を利用者は実感できる。
一般的な再生装置では、コンテンツ再生に対して早送り、早戻し、スキップ等のトリッ
クプレイ操作が可能である。これらの操作を組み合わせることによって、利用者はある時
点におけるコンテンツの残り再生時間を変更できる。特に、コンテンツ中の興味を惹かな
い部分の再生を早送りやスキップすることによって、ある時点におけるコンテンツの残り
再生時間を小さくすることができる。
本実施形態の再生装置は、コンテンツの再生において、トリックプレイなどによって本
来のコンテンツ時間長よりも短い時間で再生した場合に、その時間差を再生装置の消費電
力量と電力料金に換算して画面表示し、再生時間の短縮が消費電力量の削減に貢献してい
ることを利用者に通知する。
（第２の実施形態）
【００２４】
本発明による第２の実施形態を図１、２及び図５乃至図８を参照して説明する。実施形
態１と共通する部分は説明を省略する。
図５は、本実施形態の節約量を表示する表示装置においてコンテンツリストを表示する
際に節約量を表示する手順を示すフローチャートである。
実施形態が解決しようとしている課題として、ユーザは、視聴できなかった録画済みコ
ンテンツを結局、削除するのだが、削除することがもったいなく、損をしたような感覚に
なることがあり、ユーザ体験として好ましくないという課題がある。
まずユーザが録画済みコンテンツリストを表示するように操作部１２１を通じて指示す
ると（ステップＳ１１）、各コンテンツが未視聴であるかを制御部２０５は確認する（ス
テップＳ１２）。未視聴でない場合（ステップＳ１２のＮｏ）、表示部１２０はそのまま
表示する（ステップＳ１５）。未視聴である場合（ステップＳ１２のＹｅｓ）、コンテン
ツを再生するために必要とする消費電力とコンテンツの録画時間から消費電力量を電力量
計算部１１６は計算する（ステップＳ１３）。計算された前記消費電力量を節約量として
（ステップＳ１４）コンテンツリストと共に表示部１２０は表示する（ステップＳ１５）
。このとき更にこの消費電力量から相当電気料金を電気料金計算部１１８が計算し表示部
１２０が表示してもよい。
【００２５】
ユーザが未視聴の録画済みコンテンツを削除する際に、そのコンテンツを視聴しなかっ
たら削減される節約量を図６のように表示することで、得をするように感じさせ、ユーザ
体験が向上する。
図６のリストの第一行を例に説明すると、録画済みコンテンツＡは未視聴であり視聴し
なかったら削減される節約量は２００Ｗｈに相当することが、表示部２１４に示されてい
る。つまり、ユーザが未視聴の録画済みコンテンツを削除した際に、そのコンテンツを視
聴しなかったために削減された節約量を表示することで、損ではなく得をしたように感じ
させ、ユーザ体験を向上させる。
換言すると、未視聴の録画済みコンテンツを削除した際に、節約された量(節約量)を表
示する。そして節約量は、そのコンテンツを視聴した場合に消費された電力量などであり
、例えばバックライト点灯時の消費電力×コンテンツの時間で節約量を計算し、後に図８
で示すようにポップアップで表示する。録画済みコンテンツリストを表示する際には、前
記節約量を表示してもよい。例えば、録画リストの画面にて未視聴のコンテンツのエリア
に上記図６のように節約量を表示する。
【００２６】
図７は、本発明の節約量を表示する表示装置においてコンテンツを削除する際に節約量
を表示する手順を示すフローチャートである。
ユーザが録画済みコンテンツを削除するように操作部１２１を通じて指示すると（ステ
ップＳ２１）、各コンテンツが未視聴であるかを制御部２０５は確認する（ステップＳ２
２）。未視聴でない場合（ステップＳ２２のＮｏ）、表示部１２０はそのまま表示する（
ステップＳ２５）。未視聴である場合（ステップＳ２２のＹｅｓ）、コンテンツを再生す
るために必要とする消費電力とコンテンツの録画時間から消費電力量を電力量計算部１１
６は計算する（ステップＳ２３）。計算された前記消費電力量を節約量として（ステップ
Ｓ２４）コンテンツリストと共に表示部１２０は表示する（ステップＳ２５）。このとき
更にこの消費電力量から相当電気料金を電気料金計算部１１８が計算し表示部１２０が表
示してもよい。
図８の削除結果を例に説明すると、例えば図６のリストの第一行の録画済みコンテンツ
Ａを対象にした場合、節約された節約量は２００Ｗｈに相当することが、表示部２１４に
示されている。このリストの第一行の録画済みコンテンツＡを対象にする方法としては、
リモートコントローラ２２１を用いて選択を行う対話的なメニューを表示部２１４に表示
する等一般的な方法によればよい。
【００２７】
以上、コンテンツの時間長とおよび再生時間の取得機能を持つ、再生装置に関して説明
した。短縮再生の再生モードを持つ場合、浮くはずの時間と電力量を、再生モード選択の
場面で表示してもよい。高速再生モード、 とびとびの再生モード・プレイリストといっ
た技術を用いてもよい。更に機械的に作成したプレイリストの他に、ユーザが要約コンテ
ンツを作成してもよい。
なお、この発明は上記実施形態に限定されるものではなく、この外その要旨を逸脱しな
い範囲で種々変形して実施することができる。
また、上記した実施の形態に開示されている複数の構成要素を適宜に組み合わせること
により、種々の発明を形成することができる。例えば、実施の形態に示される全構成要素
から幾つかの構成要素を削除しても良いものである。さらに、異なる実施の形態に係わる
構成要素を適宜組み合わせても良いものである。
【符号の説明】
【００２８】
１００…テレビジョン放送受信装置、１０１…再生装置。
【図１】
2015180012.tif 000003
【図２】
2015180012.tif 000004
【図３】
2015180012.tif 000005
【図４】
2015180012.tif 000006
【図５】
2015180012.tif 000007
【図６】
2015180012.tif 000008
【図７】
2015180012.tif 000009
【図８】
2015180012.tif 000010